(57)【要約】  本発明は、マイクロリソグラフィー投影露光装置用の照明システムに関するものであって、その場合に照明システムが、射出瞳面（１２１）を照明するための、波長領域≦１００ｎｍ、特にＥＵＶ波長領域内の光を放出する、光源、および射出瞳面（１２１）内で少なくとも１つの第１の照明（２２）を第２の照明（２４）へ変化させることができる素子と光を検出するための少なくとも１つの検出器（１０６．１、１０６．２）を有し、その場合に、照明システムが、検出器（１０６．１、１０６．２）の少なくとも１つの光強度信号を記録して、少なくとも記録した光強度信号に従って制御信号（１６６）を提供する装置（１６４）を有しており、前記制御信号によって、マイクロリソグラフィー投影露光装置の像面（２２１）内で感光性の物体のスキャン速度を調節することができることを特徴としている。【選択図】図３
2010502004.tif 000002
【特許請求の範囲】
【請求項１】
マイクロリソグラフィー投影露光装置用の照明システムであって、前記照明システムが：
−射出瞳面（１２１）を照明するための、波長領域≦１００ｎｍ、特にＥＵＶ波長領域内の光を放出する、光源、および
−射出瞳面（１２１）内で少なくとも１つの第１の照明（２２）を第２の照明（２４）へ変化させることができる素子および光を検出するための少なくとも１つの検出器（１０６．１、１０６．２）、
を有し、
前記照明システムが、検出器（１０６．１、１０６．２）の少なくとも１つの光強度信号を記録して、少なくとも記録した光強度信号に従って制御信号（１６６）を提供する装置（１６４）を有しており、前記制御信号によって、マイクロリソグラフィー投影露光装置の像面（１２１）内で感光性の物体のスキャン速度を調節することができる、
マイクロリソグラフィー投影露光装置用の照明システム。
【請求項２】
検出器（１０６．１、１０６．２）が、光源（１００）から射出瞳面（１２１）への光の光路内で、光源（１００）と射出瞳面（１２１）との間に配置されていることを特徴とする請求項１に記載の照明システム。
【請求項３】
前記装置が、素子の第１の調節を表す、第１の調節信号を記録し、前記第１の調節によって第１の照明（２２）が提供されることを特徴とする請求項１から２のいずれか１項に記載の照明システム。
【請求項４】
前記装置が、素子の第２の調節を表す、第２の調節信号を記録し、前記第２の調節によって第２の照明（２６）が提供されることを特徴とする請求項３に記載の照明システム。
【請求項５】
前記装置が、メモリユニットを備えた制御ユニット（１０３０、１６４）を有しており、前記メモリユニット内に、第１の照明のための少なくとも１つの第１の較正値と、第２の照明のための第２の較正値が格納されていることを特徴とする請求項１から４のいずれか１項に記載の照明システム。
【請求項６】
メモリユニット内に、多数の較正値をもたらす較正テーブルが格納されていることを特徴とする請求項５に記載の照明システム。
【請求項７】
前記素子が、射出瞳面（１２１）内で照明を連続的に調節し、かつメモリユニット内に検定カーブが格納されていることを特徴とする請求項５に記載の照明システム。
【請求項８】
感光性の物体が、スキャンテーブル（５０２）上に配置されており、かつスキャン速度がスキャンテーブルの送り速度を定めることを特徴とする請求項１から７のいずれか１項に記載の照明システム。
【請求項９】
感光性の物体（２００）が、ウェファであることを特徴とする請求項８に記載の照明システム。
【請求項１０】
照明を変化させるための素子が、絞り（１３０）であって、前記絞りが射出瞳面（１２１）内またはその近傍、あるいは射出瞳面（１２１）に対して共役の平面内に配置されていることを特徴とする請求項１から９のいずれか１項に記載の照明システム。
【請求項１１】
照明システムが、交換可能な、研磨された光学素子を有しており、かつ照明を変化させる素子が、交換可能な、研磨された光学素子であることを特徴とする請求項１から９のいずれか１項に記載の照明システム。
【請求項１２】
照明システムが、位置において可変の多数のフェーセットミラーを備えた、研磨された光学素子（１１３）を有し、かつ照明を変化させる素子が、位置において可変のフェーセットミラー（１１４）を有する、研磨された素子であることを特徴とする請求項１から９のいずれか１項に記載の照明システム。
【請求項１３】
検出器（１６０．１）が、光源（１００）から射出瞳面（１２１）への光路内で、照明の調節を変化させるための素子（１３０）の後方に配置されていることを特徴とする請求項１から１２のいずれか１項に記載の照明システム。
【請求項１４】
検出器（１６０．２）が、光源（１００）から射出瞳面（１２１）への光路内で、照明の調節を変化させるための素子（１３０）の前に配置されていることを特徴とする請求項１から１３のいずれか１項に記載の照明システム。
【請求項１５】
検出器（１６０．１、１６０．２）が、射出瞳面の照明の調節を変化させるための素子（１３０）に、あるいはその近傍に配置されていることを特徴とする請求項１から１４のいずれか１項に記載の照明システム。
【請求項１６】
検出器（１６０．１、１６０．２）が、マイクロリソグラフィー投影露光装置の物体面（２００）または像面（２２１）に、あるいはその近傍に配置されていることを特徴とする請求項１から１５のいずれか１項に記載の照明システム。
【請求項１７】
照明システムが、カトプトリックな照明システムであることを特徴とする請求項１から１６のいずれか１項に記載の照明システム。
【請求項１８】
照明システムが、研磨された光学素子であることを特徴とする請求項１から１７のいずれか１項に記載の照明システム。
【請求項１９】
研磨された光学素子（１１６）が、多数のフェーセットミラー（１１５、１１５．１、１１５．２）を有していることを特徴とする請求項１８に記載の照明システム。
【請求項２０】
物体面（２００）と、物体面（３００）内に配置されている物体を像面（２２１）内へ結像させるためのプロジェクション対物レンズ（３００）とを有する、請求項１から１９のいずれか１項に記載の照明システムを有するマイクロリソグラフィー投影露光装置。
【請求項２１】
プロジェクション対物レンズ（３００）が、アパーチャ絞り（Ｂ）を有していることを特徴とする請求項２０に記載のマイクロリソグラフィー投影露光装置。
【請求項２２】
射出瞳面（１２１）の照明に関係なく、波長≦１００ｎｍ、特にＥＵＶ波長のためのマイクロリソグラフィー投影露光装置の像面内で、スキャンルートに沿って実質的に等しい光エネルギ、特に積分された光エネルギを調節する方法であって、
前記マイクロリソグラフィー投影露光装置が、射出瞳面内で照明を変化させる素子と検出器とを有する、前記方法が、以下のステップを有する；
−光エネルギが、射出瞳面内で照明を変化させる前に測定され、
−光エネルギが、射出瞳面内で照明を変化させた後に測定され、
−照明の変化の前と後に測定された光エネルギの差信号が形成されて、差信号に基づいて、像面内で感光性の物体のスキャン速度が調節される、
前記方法。
【請求項２３】
差信号が連続的に記録されて、制御ユニットへ供給され、かつ像面内で感光性の物体のスキャン速度が連続的に調節されることを特徴とする請求項２２に記載の方法。
【請求項２４】
射出瞳面の照明に関係なく、波長≦１００ｎｍ、特にＥＵＶ波長のためのマイクロリソグラフィー投影露光装置の像面内でスキャンルートに沿って実質的に等しい光エネルギ、特に積分された光エネルギを調節する方法であって、
前記マイクロリソグラフィー投影露光装置が、射出瞳面内で照明を変化させるための素子と検出器とを有する、前記方法が、以下のステップを有する：
−光エネルギが、射出瞳面内の様々な照明のために検出器によって測定され、
−測定された値が、較正値として制御ユニット内に格納され、
−較正値の格納後に、光エネルギが検出器によって求められて、格納されている較正値と比較され、
−較正値との比較に基づいて、像面内で感光性の物体のスキャン速度が調節される、
前記方法。
【請求項２５】
較正値が、較正テーブルおよび／または較正カーブの形式で格納されることを特徴とする請求項２４に記載の方法。
【請求項２６】
検出器が、射出瞳面の照明の調節を変化させるための素子に、あるいはその近傍に配置されていることを特徴とする請求項２２から２５のいずれか１項に記載の方法。
【請求項２７】
マイクロリソグラフィー投影露光装置が、物体面と像面を有し、かつ検出器が、物体面および／または像面に、あるいはその近傍に配置されていることを特徴とする請求項２２から２５のいずれか１項に記載の方法。
【発明の詳細な説明】
【技術分野】
【０００１】
本発明は、波長≦１００ｎｍ用のマイクロリソグラフィー投影露光装置用の照明システム、特にＥＵＶ−波長領域内の照明システムに関するものであって、前記照明システムは、射出瞳面を照明するための光源と、射出瞳面内の照明を変化させるための少なくとも１つの素子とを有している。さらに、本発明は、マイクロリソグラフィー投影露光装置のセッティングとも称される、射出瞳面内の照明が変化される場合に、実質的に等しい光エネルギ、特にスキャンルートに沿って積分された光エネルギを調節する方法に関する。
【背景技術】
【０００２】
電子的な構成部品の構造幅を、特にサブミクロン領域内で、さらに減少させることができるようにするためには、マイクロリソグラフィー用に使用される光の波長を減少させることが、必要である。１００ｎｍより小さい波長を有する光の使用、ソフトなＸ線放射を有するリソグラフィー、いわゆるＥＵＶリソグラフィーが、考えられる。
【０００３】
ＥＵＶリソグラフィーに使用される波長は、好ましくは８と２０ｎｍの間、好ましくは１１と１４ｎｍの間、特に１３．５ｎｍである。
【０００４】
ＥＵＶリソグラフィーは、大いに期待の持てる未来のリソグラフィー技術の１つである。ＥＵＶリソグラフィーのための波長として、現在では、１１−１４ｎｍの領域の、特に１３．５ｎｍの波長が、ウェファにおける０．２−０．３の数値アパーチャにおいて論議される。ＥＵＶリソグラフィーにおける像品質は、一方では、プロジェクション対物レンズによって、他方では照明システムによって定められる。照明システムは、構造を支持するマスク、いわゆるレチクルが配置されるフィールド平面のできる限り一様な照明を提供しなければならない。プロジェクション対物レンズは、感光性の物体が配置されている像面、いわゆるウェファ平面内に、フィールド平面を結像させる。一般に、ＥＵＶリソグラフィーのための投影露光装置は、反射的な光学素子を有する、いわゆるマイクロリソグラフィー投影露光装置として形成されている。プロジェクションシステムが、反射的な光学素子のみを有する場合には、それは、カトプトリックなプロジェクションシステムと称される。照明システムもプロジェクションシステムも、反射的な光学素子のみを有する場合には、マイクロリソグラフィー投影露光装置は、カトプトリックなマイクロリソグラフィー投影露光装置と称される。ＥＵＶ投影露光装置の像面内のフィールドの形状は、典型的に、幅と弧の長さによって定められる、高いアスペクトレシオを有するリングフィールドの形状である。好ましくは、幅は、≧１ｍｍ、特に好ましくは≧２ｍｍである。弧の長さは、特に≧２２、好ましくは≧２６ｍｍである。投影露光装置は、通常、スキャニングモードで駆動される。ＥＵＶ投影露光装置に関しては、以下の文書が指摘される：
ＵＳ２００５／００８８７６０Ａ
ＵＳ６４３８１９９Ｂ
ＵＳ６８５９３２８Ｂ
【０００５】
瞳面内の照明、いわゆる結像セッティングないし照明の干渉性度を従来技術においては、瞳面内、あるいはその近傍ないしは共役の瞳面内に配置された絞りを用いての、ＥＵＶシステムにおける照明の調節が提案される。絞りを用いてセッティングないし照明を調節する場合に、たとえば、セッティングをσ＝０．８からσ＝０．５に変化させる場合に、幾何学的な光損失が発生し、それは、６０％である。
【０００６】
絞りによるセッティング調節の代わりに、ＵＳ６６５８０８４は、二重に研磨された照明システム内で光チャネルの対応づけを変化させることによってセッティング調節を行うことを、提案している。２つの研磨された光学素子を有するカトプトリックな照明システムにおいて、第１の研磨された光学素子の第１のラスターエレメントが、第１のフェーセットミラーとして、第２の研磨された光学素子の第２のラスターエレメントが、第２のフェーセットミラーとして形成されている。そのために、たとえば、第１の研磨された光学素子、いわゆるフィールドフェーセットミラー、を交換することができる。もちろん、光学素子の交換も、照明システム内での透過の変化をもたらす。たとえば、第１の研磨された光学素子の交換は、幾何学的効率の変化をもたらす。というのは、通常、光源から提供される全部の光を利用できないからである。チャネル対応づけの変化を、第１の研磨された光学素子の交換によってではなく、たとえば第２の研磨された素子上でミラーを傾けることによって、調節する場合に、同様にシステム全体の透過の変化が生じる。というのは、ＥＵＶ光を反射する、第２の研磨された光学素子のフェーセットミラーには、入射角に合わせて最適化された、マルチ層が設けられているからである。これらが傾けられると、反射性が減少し、ここでも照明システム内の透過の変化が生じる。
【０００７】
照明システムの各透過変化が、マイクロリソグラフィープロジェクション老巧設備の物体面内で、ないしはその結果として像面内でも、照明すべきフィールドの領域内の光強さの変化をもたらすので、光強度のこの種の変動が、像面内に配置されている感光性の基板へ伝達される。
【０００８】
しかし、不変の製造結果を得るためには、像面内に配置されている基板が、スキャンルートに沿って常に等しい、積分された光出力を供給されることが、必要である。
【０００９】
従って、従来技術からは、フィールド平面内の光強度を測定し、ないしは調節することができる、照明システムが知られている。これに関しては、以下の文書が指摘される：
ＥＰ１２９１７２１Ａ
ＥＰ１３５５１９４Ａ
ＵＳ２００２／０１９０２２８Ａ
ＷＯ２００４／０３１８５４Ａ
ＵＳ６８８５４３２Ｂ
ＵＳ２００５／０１１０９７２Ａ
【００１０】
従来技術から知られているシステムの欠点は、たとえば、ＵＳ２００５／０１１０９７２Ａに記載されているように、フィールド平面内で照明を調節するために、光源の光が絞られることである。これが、光損失の欠点を有している。
【００１１】
発明の要約
光損失は、特に、投影露光装置のスキャン速度が比較的小さくなることをもたらす。というのは、感光層、たとえばフォトラッカー、を露光するために、常に所定の光量が必要とされるからである。たとえば光源の光パルスが絞られることによって、単位時間当たり少ない光しか提供されない場合には、必然的にマイクロリソグラフィー投影露光装置のスキャン速度が低下する。
【発明の開示】
【発明が解決しようとする課題】
【００１２】
従って、本発明の課題は、射出瞳面内で照明を調節する場合−特に干渉性度が変化する場合、あるいはセッティングが変化する場合−でも、露光すべきウェファが配置されている像面内で、常に等しい光強度、特に積分された光強度が提供され、その場合に従来技術の欠点、特に光損失が最小限にされる、照明システムおよび方法を提供することである。
【課題を解決するための手段】
【００１３】
本発明によれば、この課題は、照明システム内に、光源の光を検出する検出器が設けられていることによって、解決される。検出器は、射出瞳面内で照明を変化させる素子の前、素子に、あるいはその後ろに配置することができる。さらに、照明システムは、光強度信号を記録して、光強度信号に従って感光性の物体のスキャン速度のための制御信号を調節する装置を有している。この種の装置は、制御ユニットと称される。
【００１４】
感光性の物体が配置されている平面内で、射出瞳面の様々な照明において、光強度をほぼ一定に維持することができるようにするために、本発明によれば、検出器によって記録される光強度信号が、上述した制御ユニットへ伝達される。セッティング調節ないし照明システムの干渉性度の調節による射出瞳面の照明の変化に基づいて、照明システムないしマイクロリソグラフィー投影露光装置の透過が変化した場合に、感光性の物体が配置されている平面内の光強度が変化する。しかし、感光性の物体が配置されている平面内の光強度は、光源強度の変動と光学的な面のデグラデーション効果によっても、変化することができる。少なくとも、変動に起因する光強度の変化は、検出器を用いて定めることができる。感光性の物体が配置されている平面内で、実質的に等しい光強度を提供するために、本発明によれば、制御ユニットによって、いわゆるスキャン速度、すなわち露光すべき物体、すなわち感光性のウェファが像面内で移動する速度が、変化され、ないしは調節される。その場合に、検出器によって記録された強度と場合によっては他の情報、たとえば瞳面内でたとえば絞りによってどの照明が調節されたか、が、制御ユニットによって考慮される。
【００１５】
スキャンルートに沿ってウェファによって吸収される光量は、上述したように、照明システムの透過が変化した場合に、閉ループ制御ないし開ループ制御によって一定に維持することができる。
【００１６】
本発明の第１の実施形態において、照明の変化は、射出瞳面内またはその近傍あるいは射出瞳面に対して共役の平面内に配置されている絞りによって行われる。
【００１７】
代替的に、照明システムを、照明を変化させる素子が、交換可能な研磨された光学的な素子であり、ないしはフィールドフェーセットを備えた第１の研磨された素子と、瞳フェーセットを備えた第２の研磨された素子とを有する、二重に研磨された照明システムにおいて、ＵＳ６６５８０８４に開示されているように、フィールドフェーセットを有する交換可能な第１の研磨された素子であるように、形成することができる。
【００１８】
フィールドフェーセットを有する第１の研磨された素子を交換することによって、二重に研磨された照明システム内でフィールドフェーセットと瞳フェーセットの対応づけが変化され、従ってＵＳ６６５８０８４に開示されているように、セッティングないし射出瞳面内の照明が変化される。代替的に、対応づけのこの種の変化とそれに伴って射出瞳面の照明の調節を、個々のフィールドフェーセットおよび／または瞳フェーセットが傾けられるように設計されていることによって、達成することができる。
【００１９】
本発明の特に好ましい実施形態において、制御ユニット内に様々なセッティング調節のための制御量を有するテーブルが格納されている。テーブルは、好ましくは、様々な照明セッティングにおいて、たとえばフィールド平面および／または像面内で強度分布の測定を用いて得られる、較正値を有している。すなわち、たとえば、セッティングの第１の調節ないし第１のセッティング調節において、強度値１００を、セッティングの第２の調節ないし第２のセッティング調節においては強度値５０を求めることができる。照明が第１のセッティング調節から第２のセッティング調節に変化された場合に、スキャン速度が半減されて、それによって、両方のセッティング調節において像面内にほぼ等しい配量出力が当接することが、保証される。好ましくはマイクロリソグラフィー投影露光装置の連続的な駆動において、較正テーブルまたは検定カーブを用いて行われる制御は、２つより多い異なる照明ないしセッティングが実現される場合に、効果的である。システム内で２つのセッティング調節しか実現されない場合には、好ましくは連続的な駆動において、差測定を用いて開ループ制御ないし閉ループ制御を行うことができる。
【００２０】
連続的な駆動とは、本出願において、感光性の物体の処理の間、特に感光性の物体の露光の間、制御が行われることを意味している。
【００２１】
たとえば露光プロセスの間実際の光強度を定めるための検出器は、光路内で、射出瞳面内の照明を調節する装置の前または後ろに、好ましくは射出瞳面および／または射出瞳面に対して共役の平面内、あるいはその近傍に、および／または照明システムの像面および／または像面に対して共役の平面内、あるいはその近傍に配置することができる。検出器は、光路の内部に配置することも、あるいは外部に配置することもできる。検出器が、光源から像面への光路の外部に配置されている場合には、たとえば、光路内にミラーが配置され、そのミラーによって光の一部が光路から分離されて、検出器へ案内される。
【００２２】
照明システムの他に、本発明は、この種の照明システムを有するマイクロリソグラフィー投影露光装置および像面内でスキャンルートに沿って実質的に等しい光エネルギ、あるいは積分された光エネルギを調節する方法を提供する。これは、本発明に基づく方法によって、様々な照明のために、スキャンルートに沿って常に実質的に同一の積分されたスキャンエネルギを調節することができることを、意味している。像面内でルートｙに沿ったフィールド高さｘの積分されたスキャンエネルギは、次のように定義される：
ＳＥ（ｘ）＝∫Ｉ（ｘ、ｙ）ｄｙ
その場合に、Ｉ（ｘ、ｙ）は、露光のために利用される光の強度、すなわち像面内の点ｘ、ｙにおける、たとえば１３．５ｎｍの有効放射の強度である。換言すると、積分されたスキャンエネルギＳＥは、投影露光装置の像面内に配置されている、感光性基板上の点に、スキャンプロセスの推移において供給される、全光エネルギである。
【００２３】
たとえば、照明の変化の前のスキャンルートに沿ったスキャンエネルギＳＥが、ＳＥ（ａ１）である場合に、本発明に基づく方法によって、照明の変化後の積分されたスキャンエネルギＳＥ（ａ２）は、積分されたスキャンエネルギＳＥ（ａ１）と実質的に一致し、すなわちＳＥ（ａ１）≒ＳＥ（ａ２）が成立する。特に、投影露光装置の像面内で感光性の基板の各フィールド高さｘにおいて、積分されたスキャンエネルギＳＥ（ａ１）とＳＥ（ａ２）について、これが成立すると、効果的である。
【００２４】
本発明に基づく方法によれば、そのために、ある形態において、まず射出瞳面内で照明の変化前に光エネルギが測定され、その後、照明の変化後に生じる光エネルギと差信号が記録される。差信号は、また、照明が変化した場合でも、マイクロリソグラフィー投影露光装置の像面内で、実質的に等しい積分された光エネルギ、特に積分されたスキャンエネルギを提供するために、露光すべき物体および／または感光性の基板のスキャン速度がどのような強さで変化されなければならないか、を示す尺度でもある。
【００２５】
差信号を記録する代わりに、較正値を制御ユニット内に格納することができる。較正値は、様々な照明ないし照明セッティングにおいて強度分布を測定することによって得られる。たとえば、較正値を較正テーブルまたは較正カーブに格納することができる。照明セッティングが変化された場合に、露光すべき感光性の基板のスキャン速度が、較正値として格納されている値に従って変化されて、それによって、異なるセッティング調節においても、像面内でほぼ等しい配量出力が当接することが、保証される。
【００２６】
たとえば、ＵＳ２００５／０１１０９７２Ａから知られたシステムに対する、本発明に基づくシステムの利点は、スキャン速度を制御するために光源の光を絞る必要がなく、従って投影露光装置のスキャン速度がより高くなることである。従って、本発明に基づく照明システムを有する投影露光装置の通過量も多くなる。それに対してＵＳ２００５／０１１０９７２Ａに記載のシステムにおいては、光の一部が絞られて、従って像面内の感光性の物体ないしウェファの露光には提供されない。それに対して本発明に基づくシステムにおいては、光源のすべての光が利用される。本発明に基づくシステムの他の利点は、連続的な強度変化が可能なことである。それに対して、ＵＳ２００５／０１１０９７２Ａに記載されているシステムにおいては、シャッターを介して全パルスを絞ることしかできない。
【００２７】
従来技術において説明されるような、非連続的な方法とは異なり、本発明によれば、スキャン速度を連続的に各任意の値に調節することができ、いわゆる連続的な制御を達成することができる。
【発明を実施するための最良の形態】
【００２８】
以下、図を用いて本発明を例で説明する。
【００２９】
図１には、フィールド平面内で照明されるフィールドが示されている。フィールドは、参照符号１０で示されている。フィールドは、弧状の形状を有している。フィールド１０の中央のフィールド点ＺＰとフィールド半径Ｒが、記入されている。フィールド半径Ｒは、プロジェクション対物レンズの光学軸ＨＡに対する間隔から得られる。さらに、弧の長さｓと、原点としてのフィールドの中央のフィールド点ＺＰにおけるローカルなｘ−、ｙ−、ｚ−座標系が記入されている。フィールド１０は、ｘ−方向とｙ−方向に張り渡されたフィールド平面によって形成される。像面内の照明は、物体面内で照明されたフィールドと、実質的に同じ形状を有している。物体面ないしフィールド平面内で照明されたフィールドは、プロジェクションシステムないしプロジェクション対物レンズによって像面内に結像される。プロジェクションシステムが、縮小システムである場合には、物体面内のフィールドが、縮小されて像面内に結合される。たとえば、４：１のプロジェクションシステムにおいては、オブジェクト平面またはフィールド平面内のフィールドが、４分の１に縮小されて像面に結像される。この実施例においては、マスクが物体面内で、かつ／または感光性の物体が像面内でｙ−方向に沿って移動される。従って、ｙ−方向は、マイクロリソグラフィー投影露光装置の、いわゆるスキャン方向である。さらに、リングフィールドのスキャンスリット幅ｗが記入されており、それは、マイクロリソグラフィー投影露光装置の場合に像面内で、好ましくは≧１ｍｍ、特に好ましくは≧２ｍｍである。像側のスキャンスリット大きさ、すなわちフィールド大きさは、たとえば１×２２ｍｍないし２×２２ｍｍである。
【００３０】
図２ａと２ｂに、マイクロリソグラフィー投影露光装置の瞳面における２つの異なる照明が示されている。図２ａは、ラスター素子を備えた第２の研磨された素子、いわゆる瞳フェーセットミラーが円形に照明される場合において、瞳面ないし入射瞳内の値σ＝０．４を有する第１の照明２２を示しており、図２ｂは、リング形状の第２の照明２４のための値σout／σin＝０．８／０．４を有するアニュラーセッティングを示している。この種の照明は、照明システム内で、二重に研磨された照明システムの第２の研磨された素子のすぐ前またはその近傍に絞りを取り付けることによって、あるいはフィールドと瞳フェーセットの間の対応づけを、ＵＳ６６５８０８４に記載されているように変化させることによって、調節することができる。
【００３１】
図３には、射出瞳の照明を変化させる、すなわちセッティングを調節する素子が、第２の研磨された素子の近傍に設けられている、照明システムが示されている。図３に示す実施例において、これは、絞り１３０である。
【００３２】
図３に示すマイクロリソグラフィー投影露光装置は、光源１００を有しており、その光源は、所定の波長で、波長＜１００ｎｍを有する光、たとえば、約８ｎｍから２０ｎｍの範囲のＥＵＶ波長領域の光、特にたとえば１３．５ｎｍの波長の光を、放出する。光源から放出された光は、ＷＯ２００２／２７４００に示されるコレクタに従って、かすり入射束コレクタとして構築されたコレクタ１０２によって集められる。
【００３３】
光源から放出された放射は、アパーチャ絞り１０９と共にスペクトルフィルタ１０７を用いてフィルタリングされるので、アパーチャ絞りの後方には、たとえば１３．５ｎｍの有効放射のみが存在する。格子エレメントの形状のスペクトルフィルタが、格子エレメント上に当接する光を様々な方向に、たとえば−１次回折に回折させる。アパーチャ絞りは、−１次回折内で一次光源１００の中間像１１１内あるいはその近傍に配置されている。投影露光装置は、さらに、カトプトリックシステムにおいて小さいフェーセットミラー１１４として形成されている、第１のフェーセット、いわゆるフィールドラスター素子を備えた、第１の研磨された光学素子１１３と、カトプトリックシステムにおいて同様にフェーセットミラー１１６として形成されている、第２のフェーセット、いわゆる瞳ラスター素子ないし瞳フェーセットを備えた、第２の光学素子１１５を有している。フィールドフェーセット１１４ないし瞳フェーセット１１６は、プレーンフェーセットとして形成して、図示するように支持体部材上に傾けて配置することができ、あるいは、その開示内容が全範囲で取り込まれる、ＵＳ６１９８７９３に示すように、光学的な作用、たとえば正または負の屈折力を有するフェーセットとして形成することができる。フィールドフェーセットを有する、第１の光学素子１１３が、一次光源１００から送出されるビーム１１７を、多数の光束１１８に分解する。各光束１１８は、合焦されて、瞳ラスター素子を備えた第２の光学的な、研磨された素子１１５が配置されている場所に、あるいはその近傍に二次光源１１９を形成する。
【００３４】
図３に示すマイクロリソグラフィー投影露光装置において、照明システムの射出瞳が配置されている、射出瞳面１２１内の照明は、第２の研磨された素子、すなわち瞳フェーセット素子の前に絞り１３０が配置されていることによって調節され、その絞りによって選択的に所定の瞳フェーセット１１５、たとえば図示のように、瞳フェーセット１１５．１を絞ることができる。このようにして、様々な干渉性値、いわゆるσ値を有する照明を、極めて容易に調節することができる。代替的に、たとえば４極または２極照明のような、複雑な構造を形成するために、個々の瞳フェーセットを、第２の研磨された光学素子の前に配置されている、絞り配置１３０を用いて調節することができる。これは、セッティング調節とも称される。図示の絞り１３０を用いて干渉性度を調節する代わりに、フィールドフェーセット素子から瞳フェーセット素子への光チャネルの変化された対応づけを用いて調節を行うことも、可能である。
【００３５】
このように変化された対応づけを用いて射出瞳面１２１内の照明を調節することが、ＵＳ６６５８０８４に記載されている。
【００３６】
本発明によれば、たとえば光源の変動に基づく、あるいは射出瞳面１２１内に照明を調節するための絞り１３０を挿入することによる、透過の変化が、少なくとも１つの検出器１６０．１を用いて記録される。検出器１６０．１は、図示の場合において、光路内で、瞳面内の照明を変化させる素子、ここでは絞り１３０、の後方に配置されている。具体的に、検出器１６０．１は、ここでは、後続のプロジェクション対物レンズ３００の物体面２００内に配置されている。この配置は、単なる例である。検出器１６０．１は、光源から物体面への光路内で、たとえば検出器１６０．２のように、照明を変化させる装置の前に、あるいは照明を変化させる装置に、配置することもできる。この例において、フィールドフェーセットから入射する光が、瞳フェーセット１１５．２で反射されて、光路内で第２の研磨された光学素子１１６の後方に位置する検出器１６０．１へ案内される。この実施例において、検出器１６０．２は、光源から像面への光路の内部に、ここでは第１の研磨された素子１１３から第２の研磨された素子１１６への光路内に、あるが、検出器１６０．１は、光源から像面への光路の外部に配置されている。検出器１６０．１のための光は、ここでは、分離ミラー１７３を介して光路から分離される。しかし、検出器１６０．１を光路の内部に配置することも、考えられる。また、検出器を、図示の箇所とは異なる箇所において使用し、特に、たとえば射出瞳面１２１に対して共役の平面あるいは、物体面２００と一致するフィールド平面内に配置することも、可能である。さらに、測定は、ここに設けられた１つの検出器を用いて、あるいは複数の検出器を用いて行うことができる。それぞれ検出器がどこに位置決めされているかに従って、検出器によって異なる光信号が記録される。たとえば、検出器１６０．１が、光路内で絞り１３０の後方に、すなわちセッティング調節する装置の後方に、配置されている場合には、様々なセッティング調節のために様々な光信号が生じる。検出器１６０．１によって記録された光信号は、その後直接、セッティング調節に従ってスキャン速度を調節するための開ループ制御／閉ループ制御ユニット１６４のための開ループ制御信号または閉ループ制御信号１６２として使用することができる。それに対して検出器が光路内で、光路内でセッティング絞りの前に、あるいは検出器１６０．２のように、セッティング絞り自体上に配置されている場合には、単に、たとえば光源１００の、強度変動のみを記録することができる。この種の信号によっては、たとえば露光すべき物体、たとえばウェファのための支持体１６８の、スキャン速度１６６のみを、この強度変動に適合させることができる。さらに、スキャン速度をセッティング調節に従って適合させようとする場合には、たとえばどのセッティング絞りが調節されているか、のような付加的な情報が存在しなければならない。その場合に、制御ユニット１６９は、この付加的な情報によって、光路内でセッティングを調節する装置の前に配置されている検出器１６０．２のためにも、種々のセッティング調節のために、スキャン速度をそれに応じて制御することができる。図示の実施例において、２つの検出器１６０．１、１６０．２が設けられており、その場合に第１の検出器１６０．１は、セッティング調節を検出するために、光路内でセッティング調節する装置の後方に配置されており、第２の検出器１６０．２は、たとえば光源の、強度変動を検出するために、光路内でセッティングする装置の前に配置されている。これら２つの検出器１６０．１、１６０．２の信号によって、スキャン速度が、強度変動とセッティング調節とに従って制御される。
【００３７】
上述したように、光透過の変化は、たとえばセッティングがσ＝０．８からσ＝０．５に変化した場合に、６０％の幾何学的な光損失をもたらす。この変化は、本発明によって補償することができ、それによって、像面内で露光すべき物体上に常に等しい光量が当接することを、保証することができる。これは、たとえば、検出器１６０．２および／または検出器１６０．１の記録された光信号と場合によっては付加的に記録された、たとえばセッティング絞り調節に関する情報に従って、ウェファ、すなわち像面内の露光すべき基板のスキャン速度が、プログラム対物レンズの像面内で露光すべき基板上に、常に実質的に等しい光量が当接するように調節されることによって、達成することができる。これが、露光プロセスの間にセッティング変化および／または光強度変動に基づいて透過が変化した場合でも、均一な露光が維持されることを、保証する。
【００３８】
この実施例において、さらに、光路内で、第２の研磨された素子、瞳フェーセットミラー１１６の後方に、瞳フェーセットをプロジェクション対物レンズの入射瞳Ｅ内へ結像させるため、および物体面２００内でフィールドを成形するために、２つのノーマル入射束ミラー１７０、１７２と２つのかすり入射束ミラー１７４が示されている。
【００３９】
フィールドラスター素子が、照明すべきフィールドの形状を有している場合には、フィールド成形のためにミラーを設ける必要はない。
【００４０】
照明システムの射出瞳面１２１内の射出瞳と一致する、プロジェクション対物レンズの入射瞳Ｅは、プロジェクション対物レンズの光学軸ＨＡが、図１に示すフィールドの中央のフィールド点Ｚへ至る、レチクルで反射されたメインビームＣＲと交差する点によって得られる。
【００４１】
マイクロリソグラフィー投影露光装置の物体面２００内で、移送システム上にレチクルが配置されている。物体面２００内に配置されているレチクルは、プロジェクション対物レンズ３００によって感光性の基板２２０ないしウェファ上に結像される。ウェファないし基板は、実質的に、プロジェクション対物レンズの像面２２１内に配置されている。感光性の基板の均一な露光は、検出器１６０．１、１６０．２によって記録された光信号に従って、支持体システム５０２（その上にウェファが配置されている）のスキャン速度を調節する、制御ユニット１６４によって保証される。
【００４２】
図示のプロジェクション対物レンズは、共通の光軸ＨＡを中心にセンタリングして配置されている６つのミラー、第１のミラーＳ１、第２のミラーＳ２、第３のミラーＳ３、第４のミラーＳ４、第５のミラーＳ５および第６のミラーＳ６を有している。プロジェクション対物レンズ３００は、正のフォーカルインターセプトを有する。これは、物体面内で物体２０１から反射される、中央のフィールド点へ至るメインビームＣＲが、物体２０１へ向いた方向でプロジェクション対物レンズ内へ延びることを、意味している。対物レンズの光軸ＨＡが、レチクルで反射された、中央のフィールド点へ至るメインビームＣＲと交差する点が、入射瞳Ｅの位置をもたらし、それは、照明システムの射出瞳面１２１内に位置する、照明システムの射出瞳と一致する。絞り１３０ないしフィールドフェーセットと瞳フェーセットの可変の対応づけによって、射出瞳面内の、ないしはプロジェクション対物レンズの入射瞳Ｅ内の照明が変化され、すなわちそこのセッティングが調節される。好ましくは、プロジェクション対物レンズの入射瞳Ｅの領域内に、可変に形成することもできる、アパーチャ絞りＢが配置されている。
【００４３】
検出器１６０．２が、光路内でセッティング調節するための絞り１３０の後方に配置されている場合に、検出器１６０．２によって記録された光信号が、制御ユニット１６４へ伝達される。制御ユニット１６４内で、記録された光信号が、たとえば基準値ないし較正テーブルの較正値または検定カーブと比較されて、それに応じてスキャン速度が調節される。較正値は、たとえば、較正値を記録するために像面２２１内、すなわちウェファ平面内に配置することができる検出器を用いて記録することができる。種々のセッティング調節のために得られた値が、テーブルに記録される。駆動中に検出器１６０．２によって実際に測定された値が、較正値と比較されて、それに応じてスキャン速度が制御される。第１のセッティング調節のための値が１００で、第２のセッティング調節のための値が５０である場合に、第２のセッティング調節におけるスキャン速度ｖ2が、第１のセッティング調節におけるスキャン速度ｖ1の実質的に半分の大きさであると、像面内で、すなわちウェファ上で、等しい光量が提供される。代替的に、検出器１６０．１は、図３に示すように、直接セッティング絞り１３０上に、あるいは光路内でセッティング絞り１３０の前に配置することもできる。その場合には、セッティングに関係なく、検出器によって常に実質的に等しい光量が記録される。ただ、たとえば光源１００の、強度変動のみが、強度信号に影響を与える。強度信号が制御ユニットに伝達される場合に、制御ユニットによって、スキャン速度を変化させることにより、検出器によって記録された強度変動を補償することができる。この種の構造において、セッティング絞りの調節のような、付加的な情報が提供される場合に、スキャン速度は、セッティング調節にも適合させることができる。後続の図４ａから４ｂにおいて、スキャン速度の変化が、像面内で単位時間当たり当接する光強度にどのような作用を有するか、が説明されている。
【００４４】
たとえば、ＵＳ２００５／０１１０９７２Ａに記載されているような、クロックされる光源においては、単位時間当たり実質的に等しい数の光パルスが出力され、その場合に光パルス当たり等しい光強度が存在する。図４ａ１に示す実施例において、これは、たとえば４パルス／ｍｓである。図４ａ２に示す、１ｍｍのスキャンスリット幅を有するスキャンスリット１０００１の像面内で、速度ｖ1＝１ｍｍ／ｍｓでｙ−方向に、すなわちスキャン方向１０００２に、位置１０００３．１から位置１０００３．２へ移動される場合に、４つの光パルス１０００が像面内の露光すべき物体上に当接する。図４ａ１に示す実施例のために、セッティング調節に基づいて求められた較正値は、たとえば５０である。セッティング調節が変化されて、図４ｂ１と４ｂ２に示す場合について、較正値が１００である場合に、図４ａ１と４ａ２におけるのと同一の光量が当接するようにするためには、像面上に当接する光パルスの数が半減されなければならない。これは、スキャン速度がｖ2ｍｍ／ｍｓに倍増されることによって、得られる。４パルス／ｍｓのクロック周波数において、４パルスの代わりに２光パルスのみが、露光すべき基板上に当接する。
【００４５】
図５には、制御例のためのフローチャートが示されている。
【００４６】
図５に示すフローチャートは、検出器によって記録される測定信号を、像面内で感光性の物体のスキャン速度を制御するために使用する可能性である。すでに説明したように、まず、種々のセッティング調節ないし平面内の照明の調節のために、較正測定１０００が実施される。較正測定の値が、たとえば、制御ユニット内の較正テーブルに格納される。これが、ステップ１０１０で説明されている。制御ユニットの較正が終了した後に、たとえば空測定において、すなわちマイクロリソグラフィー投影露光装置の照明システムが、感光性の物体、たとえばウェファの露光のために使用されない状態において、たとえばセンサが投影露光装置のプロジェクション対物レンズの像面内へ移動されることによって、単に測定が行われる。この状態は、非駆動状態とも称される。
【００４７】
空測定の間に記録された較正値が、制御ユニット内に格納される。マイクロリソグラフィー投影露光装置内の照明システムが、感光性のウェファの露光に使用される場合に、所定のセッティング調節、すなわち瞳面の照明の調節が行われる。検出器によって検出された光強度と、制御ユニットへ伝達される、セッティング絞りの絞り調節のような、場合によって生じる付加量に基づいて、較正テーブルを用いて、像面内で露光すべき物体がどのような速度で移動されなければならないか、が求められる。
【００４８】
制御ユニットは、参照符号１０３０で示されている。検出器は、ステップ１０４０において測定信号を検出して、測定信号を制御ユニット１０３０へ伝達する。制御ユニット内で、較正テーブルを用いて、ステップ１０４５で比較が行われて、この比較に基づいて制御量であるスキャン速度が制御ユニットからステッピングモータへ伝達され、そのステッピングモータが、ステップ１０５０において、露光すべき物体が配置されているスライドテーブルの送り速度を定める。ステップ１０５０に続いて、測定がインターバルをおいて繰り返され（ステップ１０６０）、あるいは終了される（ステップ１０７０）。
【００４９】
特に、２つより多いセッティング調節が可能な場合、ないし絞りによってたとえば瞳面内で連続的に照明が調節できる場合に、使用される、上述した極めて複雑な方法の代わりに、２つだけのセッティング調節を有するシステムにおいて、差測定を用いてスキャン速度を制御することが、可能である。すなわち、まず、射出瞳の第１の照明において、最適なスキャン速度を求めることができる。そのために、第１の光強度が求められる。検出器が光路内で調節装置の後方に配置されている場合には、照明が変化された場合に、光強度のための検出器の測定信号が変化する。照明の変化の前と照明の変化後の差信号から、照明が変化した場合に第１の照明と同じ露光比を保証するためには、スキャン速度をどのような値だけ変化させなければならないか、を求めることができる。たとえば、セッティングの変化によって照明が５０％減少された場合には、露光すべき物体上に第１の照明の場合と同一の光量が当接するようにするためには、スキャン速度も、第１の照明のスキャン速度に対して５０％だけ減少されなければならない。検出器が、光路内で、照明、すなわちセッティングを調節する配置の前に配置されている場合には、露光すべき物体の平面内のスキャン速度を調節するために、記録された光信号に加えて、たとえば絞り調節に関する付加的な情報が必要である。
【００５０】
従って、本発明によって初めて、光源の光を完全に利用することができ、それにもかかわらず、セッティング調節または強度変動に基づいて瞳面内で照明が変化した場合に、露光すべき物体上に実質的に常に同じ光量を当接させる、装置と方法が提供される。
【図面の簡単な説明】
【００５１】
【図１】物体面内の照明すべきフィールドの形状を示している。
【図２】図２ａ−２ｂは、瞳面内の様々な照明を示している。
【図３】本発明に基づく装置を有する照明システムの構造を示している。
【図４】図４ａ−ｂは、クロックされる光源において、スキャン速度に従って露光すべき物体上に発生する光パルスの数を示している。
【図５】制御例のフローチャートである。
【図１】
2010502004.tif 000003
【図２ａ】
2010502004.tif 000004
【図２ｂ】
2010502004.tif 000005
【図３】
2010502004.tif 000006
【図４ａ１】
2010502004.tif 000007
【図４ａ２】
2010502004.tif 000008
【図４ｂ１】
2010502004.tif 000009
【図４ｂ２】
2010502004.tif 000010
【図５】
2010502004.tif 000011
【国際調査報告】
2010502004.tif 000012
2010502004.tif 000013
2010502004.tif 000014
2010502004.tif 000015
2010502004.tif 000016
2010502004.tif 000017